(57)【要約】【課題】処分が容易な段ボール等を材料として、糞尿を分離できる簀の子を形成し、これを構成部材としたペット用トイレを提供する。【解決手段】段ボール等を材料とする簀の子１において、底板１１の内部に切込を入れて三角筒状の支持筒部１８を形成し、上端縁に山部と谷部とが交互に形成された側板１５を底板１１から起立させ、踏板１３を山折線１３ａ及び谷折線１３ｂに沿って山部と谷部とが交互に形成されるように折り曲げ、側板１５の上端縁に踏板１３をそれぞれの山部と谷部を対応させて載せ、踏板１３の両側部を側板１５で支持すると共に、踏板１３の中間部を支持筒部１８で支持し、踏板１３の谷折線１３ｂに沿って設けた排出口１３ｃの下方に底板１１の排出口１１ｃを位置させる。この簀の子１を用いて、上トレイ２、下トレイ３及び屋根４を備えたペット用トイレを構成する。【選択図】図２
2015223085.tif 000002
【特許請求の範囲】
【請求項１】
底板(11)及び踏板(13)を備え、底板(11)の両側に側板(15)を連設し、踏板(13)には、両側端間に及ぶ山折線(13a)と谷折線(13b)とを交互に入れ、谷折線(13b)に沿って排出口(13c)を設け、側板(15)の上端となる端縁を傾斜方向が変化して山部と谷部とが交互に形成された形状とし、底板(11)には、内部の切込により立上板(16)及び傾斜板(17)を順次連設すると共に、排出口(11c)を設けておき、
底板(11)から立上板(16)を起立させ、傾斜板(17)を斜め下方へ折り返して、三角筒状の支持筒部(18)を形成し、底板(11)から側板(15)を起立させ、踏板(13)を山折線(13a)及び谷折線(13b)に沿って山部と谷部とが交互に形成されるように折り曲げ、側板(15)の上端縁に踏板(13)をそれぞれの山部と谷部を対応させて載せ、踏板(13)の両側部を側板(15)で支持すると共に、踏板(13)の山部の裏側に支持筒部(18)の立上板(16)と傾斜板(17)の稜部を対応させ、踏板(13)の中間部を支持筒部(18)で支持し、踏板(13)の排出口(13c)の下方に底板(11)の排出口(11c)を位置させた組立式簀の子(1)。
【請求項２】
請求項１に係る組立式簀の子(1)を備えると共に、上トレイ(2)及び下トレイ(3)を構成部材として備え、前記簀の子(1)を上トレイ(2)の底壁(21)の上方に支持すると共に、上トレイ(2)を下トレイ(3)の上部に重ねて支持し、上トレイ(2)の底壁(21)に設けた排出口(21a)を、簀の子(1)の踏板(13)及び底板(11)の排出口(13c,11c)の下方に位置させ、これらの排出口(13c,11c,21a)の下方に下トレイ(3)の開口部を位置させたペット用トイレ。
【発明の詳細な説明】
【技術分野】
【０００１】
この発明は、段ボール等を材料とする組立式の簀の子及びこれを構成部材としたペット用トイレに関するものである。
【背景技術】
【０００２】
従来、犬用のトイレとして、下記特許文献１においては、図１２に示すようなシステムトイレが提案されている。このシステムトイレは、トレイ状の上部容器５１及び下部容器５２と、上部容器５１の底壁５１ａに載置される液透過パネル５３と、下部容器５２に収容される吸液シート５４とから成り、上部容器５１の底壁５１ａは格子状とされ、液透過パネル５３は、積層段ボールをスライスしたコルゲートハニカム構造とされている。
【０００３】
このようなシステムトイレを犬に使用させたとき、液透過パネル５３に乗った犬が糞尿を排泄すると、液体である尿は、液透過パネル５３を透過し、上部容器５１の底壁５１ａを下方へ通過して、下部容器５２の吸液シート５４に吸収され、固形物である糞は、液透過パネル５３の上面に残存する。このため、尿による犬の足濡れが防止され、清掃作業に際しては、液透過パネル５３及び吸液シート５４を適宜交換するだけでよい。
【先行技術文献】
【特許文献】
【０００４】
【特許文献１】特開２０１２−５４４３号公報
【発明の概要】
【発明が解決しようとする課題】
【０００５】
しかしながら、上記のようなシステムトイレでは、上部容器５１と下部容器５２とが耐久性や強度確保のためプラスチックで形成されることから、不要となった場合に処分する際、これらを偏平に解体した状態で可燃ごみとして廃棄することができず、環境負荷が比較的大きいという問題がある。
【０００６】
そこで、この発明は、処分が容易な段ボール等を材料として、糞尿を分離できる簀の子を形成し、これを構成部材としたペット用トイレを提供しようとするものである。
【課題を解決するための手段】
【０００７】
上記課題を解決するため、この発明は、段ボール等から成る組立式簀の子において、底板及び踏板を備え、底板の両側に側板を連設し、踏板には、両側端間に及ぶ山折線と谷折線とを交互に入れ、谷折線に沿って排出口を設け、側板の上端となる端縁を傾斜方向が変化して山部と谷部とが交互に形成された形状とし、底板には、内部の切込により立上板及び傾斜板を順次連設すると共に、排出口を設けておき、底板から立上板を起立させ、傾斜板を斜め下方へ折り返して、三角筒状の支持筒部を形成し、底板から側板を起立させ、踏板を山折線及び谷折線に沿って山部と谷部とが交互に形成されるように折り曲げ、側板の上端縁に踏板をそれぞれの山部と谷部を対応させて載せ、踏板の両側部を側板で支持すると共に、踏板の山部の裏側に支持筒部の立上板と傾斜板の稜部を対応させ、踏板の中間部を支持筒部で支持し、踏板の排出口の下方に底板の排出口を位置させたのである。
【０００８】
また、ペット用トイレにおいて、この組立式簀の子を備えると共に、上トレイ及び下トレイを構成部材として備え、前記簀の子を上トレイの底壁の上方に支持すると共に、上トレイを下トレイの上部に重ねて支持し、上トレイの底壁に設けた排出口を、簀の子の踏板及び底板の排出口の下方に位置させ、これらの排出口の下方に下トレイの開口部を位置させ、踏板に乗ったペットの尿が踏板の排出口及び上トレイの排出口を介して下トレイに流下し、下トレイ内の吸液シートに吸収されるようにしたのである。
【発明の効果】
【０００９】
この発明に係る組立式簀の子では、踏板の両側部が側板で支持され、踏板の中間部が支持筒部で支持されるので、段ボール製としても、踏板が濡れた状態で、踏板に作用する局所的な偏荷重に耐えることができ、踏板の陥没が防止される。そして、踏板を濡らす液体を踏板の排出口及び底板の排出口を介して流下させ、固形物を踏板の上面に残存させて、液体と固形物とを分離することができる。
【００１０】
また、この組立式簀の子を備えたペット用トイレでは、踏板が尿で濡れた状態で、ペットが踏板のどの場所に乗っても、踏板の陥没等の変形が防止され、尿を下トレイへ流下させ、糞を踏板の上面に残存させて、尿と糞とを分離することができる。
【００１１】
そして、各構成部材を段ボール製の組立式としておくことにより、不要となった場合に処分する際、偏平に解体した状態で可燃ごみとして廃棄することができる。
【図面の簡単な説明】
【００１２】
【図１】この発明に係る組立式簀の子を備えたペット用トイレの斜視図
【図２】同上の分解斜視図
【図３】同上の各構成部材のブランクを示す図
【図４】同上の簀の子のブランクを示す図
【図５】同上の上トレイのブランクを示す図
【図６】同上の下トレイのブランクを示す図
【図７】同上の簀の子の組立過程を示す斜視図
【図８】同上の簀の子の組立状態を示す斜視図
【図９】同上の上トレイの組立状態を示す斜視図
【図１０】同上の下トレイの組立状態を示す斜視図
【図１１】同上のペット用トイレの下部構造を示す縦断側面図
【図１２】従来のペット用トイレの分解斜視図
【発明を実施するための形態】
【００１３】
以下、この発明の実施形態を添付図面に基づいて説明する。
【００１４】
図１に示すペット用トイレは、猫の使用を想定した小屋型のものであり、図２に示すように、段ボール製の組立式簀の子１を備えると共に、上トレイ２及び下トレイ３、並びに屋根４を構成部材として備えている。段ボールシートを打ち抜いて形成される各部材のブランクは、図３に示すようなものとされ、簀の子１、上トレイ２及び下トレイ３のブランクの拡大図をそれぞれ図４〜図６に示す。
【００１５】
図４に示す簀の子１のブランクは、耐水処理されたものであり、このブランクでは、底板１１が後述するコ字状の切込により中間部と両端部とに分割され、底板１１の一方の端部の外端に端板１２を介して踏板１３が連設されている。踏板１３は、底板１１より幅が広く、両側へ張り出している。踏板１３の先端には、端板１２と対をなす端板１４が連設され、底板１１の長さ方向の両側には、側板１５が連設されている。
【００１６】
踏板１３には、両側端間に及ぶ２本の山折線１３ａと３本の谷折線１３ｂとが交互に入れられ、谷折線１３ｂに沿って細長い排出口１３ｃが断続的に設けられている。山折線１３ａは、段ボールを裏面から押圧した通常の押罫とされ、谷折線１３ｂは、段ボールを表面から押圧した逆罫とされている。
【００１７】
また、踏板１３の側端に沿った部分には、谷折線１３ｂに交差する方向に延びるスリット状の差込穴１３ｄが設けられると共に、差込穴１３ｄの外側に一対の戻止突起１３ｅが先端間に間隔をあけて設けられている。
【００１８】
端板１４には、先端中央部に係合突起１４ａが突設され、両端部に基部から先端側へかけて内側へ傾斜する谷折線１４ｂが入れられている。また、端板１４は、谷折線１４ｂの基部から端板１４の外側へ至る垂線の外側部分（図中斜線を付した部分）において、厚さ方向に押し潰されている。
【００１９】
側板１５の上端となる端縁は、傾斜方向が変化して山部と谷部とが交互に形成された形状とされ、その谷部には折目線を介して差込片１５ａが突設されている。側板１５の下端となる端縁には、後述するコ字状の切込に向かって、脚突起１５ｂが突設されている。
【００２０】
底板１１の中間部には、一対のスリット状の係合穴１１ａが設けられ、底板１１の他方の端部には、スリット状の係合穴１１ｂが設けられている。また、底板１１の中間部における係合穴１１ａの間の部分には、踏板１３の排出口１３ｃに対応する位置に、排出口１３ｃより大きい長穴状の排出口１１ｃが断続的に設けられている。
【００２１】
また、底板１１の内部には、一対のコ字状の切込により、立上板１６及び傾斜板１７が中間部側から順次連設され、これらが支持筒部１８を形成し、傾斜板１７の先端中央部には、係合突起１７ａが突設されている。また、支持筒部１８を形成するコ字状の切込により、排出口１１ｃが形成されている。
【００２２】
次に、図５に示すように、上トレイ２のブランクでは、長方形の底壁２１の対向する短辺に端壁２２が連設され、底壁２１の対向する長辺に側壁２３をなす外側板２３ａ及び内側板２３ｂが底壁２１から順次連設されている。側壁２３の外側板２３ａと内側板２３ｂの間には、額縁部が介在している。端壁２２は、上端側となる端縁の角部が丸められ、端壁２２の両側端には、折込片２４が連設されている。
【００２３】
底壁２１には、簀の子１の谷折線１３ｂに対応する位置に、長穴状の排出口２１ａが設けられ、中央の排出口２１ａは、組立時に簀の子１の係合突起１７ａとの干渉を回避するため、両側縁中間部が大きく切り欠かれている。
【００２４】
内側板２３ｂの先端には、係合突起２３ｃが２箇所に設けられ、底壁２１の外側板２３ａとの境界沿いには、係合突起２３ｃに対応する係合穴２１ｂが設けられている。
【００２５】
一方の端壁２２には、枠部を残した大きな切り抜きにより猫が通過可能な出入口２２ａが設けられ、他方の端壁２２には、出入口２２ａより小さな切り抜きにより猫は通過できない窓２２ｂが設けられている。
【００２６】
底壁２１と端壁２２の境界中間部及び底壁２１と外側板２３ａの境界中間部には、嵌合穴２５が設けられ、嵌合穴２５は、端壁２２及び外側板２３ａの部分が台形状とされている。側壁２３の額縁部の中間部には、後述する屋根４の差込片４ａが差し込まれるスリット状の差込穴２６が設けられている。
【００２７】
次に、図６に示すように、下トレイ３のブランクでは、長方形の底壁３１の対向する短辺に端壁３２が連設され、底壁３１の対向する長辺に側壁３３をなす外側板３３ａ及び内側板３３ｂが底壁３１から順次連設されている。端壁３２の両側端には、折込片３４が連設され、端壁３２の上端となる端辺には桟板３５が連設されている。
【００２８】
内側板３３ｂの先端には、係合突起３３ｃが２箇所に設けられ、底壁３１の外側板３３ａとの境界沿いには、係合突起３３ｃに対応する係合穴３１ａが設けられている。桟板３５の両端には差込片３５ａが折目線を介して設けられ、側壁３３の額縁部の両端部には、差込穴３３ｄが設けられている。
【００２９】
端壁３２及び外側板３３ａの上端となる端辺の中間部には、台形状の嵌合片３６がそれぞれ桟板３５及び内側板３３ｂへの切込により突設されている。
【００３０】
また、図１〜図３に示す屋根４は、波状の中芯の両面にライナーを貼り合わせた通常の両面段ボールから成る簀の子１、上トレイ２及び下トレイ３とは異なり、波状の中芯の片面にのみライナーを貼り合わせた片面段ボールから成り、その段目方向に平行な端辺の中間部には、差込片４ａが突設されている。
【００３１】
上記簀の子１のブランクを組み立てるには、図７に示すように、底板１１から立上板１６を起立させ、傾斜板１７を斜め下方へ折り返し、係合突起１７ａを係合穴１１ａに係合させて、三角筒状の支持筒部１８を形成し、底板１１から側板１５を起立させる。
【００３２】
次に、図８に示すように、踏板１３を山折線１３ａ及び谷折線１３ｂに沿って山部と谷部とが交互に形成されるように折り曲げ、側板１５の上端縁に踏板１３をそれぞれの山部と谷部を対応させて載せ、差込片１５ａを差込穴１３ｄに差し込んで外側へ折り曲げ、戻止突起１３ｅの下方へ押し込んで、差込片１５ａの反発を抑制する。
【００３３】
その後、端板１４を下方へ折り曲げ、谷折線１４ｂに挟まれた部分を押圧しつつ、係合突起１４ａを係合穴１１ｂに係合させると、端板１４は、谷折線１４ｂに沿って窪むように折れ曲がり、端板１４の下端が底板１１に当接する。
【００３４】
この組立状態では、踏板１３の両側部が側板１５で支持されると共に、踏板１３の山折線１３ａに沿った部分の裏側に支持筒部１８の立上板１６と傾斜板１７の稜部が対応し、踏板１３の中間部が対向する支持筒部１８で支持される。また、踏板１３の一方の端部が端板１２で支持され、他方の端部が端板１４で支持される。そして、踏板１３の排出口１３ｃの下方に底板１１の排出口１１ｃが位置する。
【００３５】
次に、図９に示すように、上トレイ２のブランクを組み立てるには、底壁２１から一対の端壁２２を起立させ、折込片２４を底壁２１と外側板２３ａの境界に沿って折り曲げ、外側板２３ａを起立させ、内側板２３ｂを内側下方へ折り曲げて、外側板２３ａと内側板２３ｂの間に折込片２４を挟み込み、係合突起２３ｃを係合穴２１ｂに係合させて、側壁２３を形成し、組立形状を維持する。
【００３６】
さらに、図１０に示すように、下トレイ３のブランクを組み立てるには、底壁３１から一対の端壁３２を起立させ、折込片３４を底壁３１と外側板３３ａの境界に沿って折り曲げ、外側板３３ａを起立させ、内側板３３ｂを内側下方へ折り曲げて、外側板３３ａと内側板３３ｂの間に折込片３４を挟み込み、係合突起３３ｃを係合穴３１ａに係合させて、側壁３３を形成し、桟板３５を側壁３３の頂部に載せるように折り曲げて、差込片３５ａを差込穴３３ｄに差し込み、組立形状を維持する。
【００３７】
上記のような簀の子１、上トレイ２及び下トレイ３を備えたペット用トイレを構成するには、図１及び図２に示すように、簀の子１を上トレイ２に挿入して底壁２１の上面に載せ、下トレイ３に吸液シート５を収容し、上トレイ２を下トレイ３の上部に重ね、嵌合片３６を嵌合穴２５に嵌合させて、上トレイ２と下トレイ３との相互のずれを防止する。
【００３８】
その後、屋根４を中芯の露出面が表面となるように湾曲させ、差込片４ａを差込穴２６に差し込んで、上トレイ２に屋根４を取り付けると、ペット用トイレが完成する。
【００３９】
このようにペット用トイレを組み立てると、図１１に示すように、簀の子１の踏板１３の排出口１３ｃの下方に底板１１の排出口１１ｃが位置し、その下方に上トレイ２の底壁２１の排出口２１ａが位置する共に、排出口１３ｃ，１１ｃ，２１ａの下方に下トレイ３の上面の開口部が位置することとなる。
【００４０】
上記ペット用トイレにおいて、猫が出入口２２ａから入り、簀の子１の踏板１３に乗って排泄行為をした場合、踏板１３の表面は尿で濡れるが、液体である尿は踏板１３の谷折線１３ｂに沿った谷部に集まり、排出口１３ｃ，１１ｃ及び上トレイ２の底壁２１の排出口２１ａを介して下トレイ３に流下し、吸液シート５に吸収される。一方、固形物である糞は、排出口１３ｃを通過できず、踏板１３の上面に残存する。
【００４１】
このように、上記簀の子１を備えたペット用トイレでは、尿と糞とを分離することができるので、掃除に際して、吸液シート５を交換し、簀の子１の踏板１３から糞を除去すればよく、比較的楽に手入れすることができる。
【００４２】
また、上記簀の子１では、踏板１３の長さ方向の両側部が側板１５で支持され、踏板１３の中間部が支持筒部１８で支持されるので、踏板１３が尿で濡れた状態で、猫が踏板１３のどの場所に乗っても、踏板１３の陥没等の変形が防止される。
【００４３】
さらに、脚突起１５ｂにより底板１１が上トレイ２の底壁２１から浮き上がった状態となっているので、底板１１と底壁２１の間に尿が長時間滞留することがなく、早期に乾燥するので、衛生状態が維持される。
【００４４】
また、簀の子１や下トレイ３は、段ボール製とされているので、汚れが激しくなった場合には、可燃ごみとして廃棄することができ、上トレイ２や屋根４は、直接尿で濡れることがないので、長期間使用することができる。
【００４５】
さらに、このペット用トイレが不要となった場合には、簀の子１、上トレイ２、下トレイ３及び屋根４をブランクに戻すように偏平に解体し、嵩張らない状態で、可燃ごみとして廃棄することができる。
【００４６】
なお、上記簀の子１では、各１本の山折線１３ａ及び谷折線１３ｂに沿った折り曲げにより、踏板１３に山部及び谷部を形成することとしているが、谷折線１３ｂは、排出口１３ｃの幅程度の間隔をあけて平行に延びる二重罫線としてもよく、山折線１３ａは、頂部に額縁状部分を形成する二重罫線としてもよい。
【００４７】
また、側板１５に突設された差込片１５ａを踏板１３の差込穴１３ｄに差し込んで、踏板１３と側板１５とを固定しているが、踏板１３側に差込片を突設し、これを側板１５に係止することにより、踏板１３と側板１５とを固定するようにしてもよい。
【００４８】
また、簀の子１の材料としては、耐水処理された紙製の段ボールのほか、高度な耐水性や耐荷重性が必要な場合には、廃棄時の分別は必要となるが、プラスチック製段ボールやプラスチック製シートを使用してもよい。
【００４９】
また、上記ペット用トイレの実施形態では、簀の子１、上トレイ２、下トレイ３及び屋根４が段ボール製のものを例示したが、上トレイ２、下トレイ３及び屋根４は、板紙製やプラスチック製としてもよい。
【００５０】
ところで、上記実施形態では、猫の使用を想定したペット用トイレを例示したが、このような簀の子１を使用した構成は、犬や他のペットのトイレについても、大きさや形状を適宜変更することにより、適用することができる。また、屋根４は、ペットの鎮静効果や排泄物の臭い等の遮蔽効果があるが、ペットの性質等に応じて、省略してもよい。
【００５１】
さらに、簀の子１は、ペット用トイレに限られることなく、水分が滴り落ちる食品の保管用ケース等の底敷材に使用することもできる。
【符号の説明】
【００５２】
１  簀の子
２  上トレイ
３  下トレイ
４  屋根
５  吸液シート
１１  底板
１１ａ，１１ｂ  係合穴
１１ｃ  排出口
１２  端板
１３  踏板
１３ａ  山折線
１３ｂ  谷折線
１３ｃ  排出口
１３ｄ  差込穴
１３ｅ  戻止突起
１４  端板
１４ａ  係合突起
１４ｂ  谷折線
１５  側板
１５ａ  差込片
１５ｂ  脚突起
１６  立上板
１７  傾斜板
１７ａ  係合突起
１８  支持筒部
２１  底壁
２１ａ  排出口
２１ｂ  係合穴
２２  端壁
２２ａ  出入口
２２ｂ  窓
２３  側壁
２３ａ  外側板
２３ｂ  内側板
２３ｃ  係合突起
２４  折込片
２５  嵌合穴
２６  差込穴
３１  底壁
３１ａ  係合穴
３２  端壁
３３  側壁
３３ａ  外側板
３３ｂ  内側板
３３ｃ  係合突起
３３ｄ  差込穴
３４  折込片
３５  桟板
３５ａ  差込片
３６  嵌合片
４ａ  差込片
【図１】
2015223085.tif 000003
【図２】
2015223085.tif 000004
【図３】
2015223085.tif 000005
【図４】
2015223085.tif 000006
【図５】
2015223085.tif 000007
【図６】
2015223085.tif 000008
【図７】
2015223085.tif 000009
【図８】
2015223085.tif 000010
【図９】
2015223085.tif 000011
【図１０】
2015223085.tif 000012
【図１１】
2015223085.tif 000013
【図１２】
2015223085.tif 000014